(57)【要約】      （修正有）【課題】表面に使用目的に適う表示を付したシール本体の裏面に、人体の肌へのダメージを可及的に回避することを可能とした粘着層を形成してなる、人体の肌に直接貼付して使用する応援シールを提供する。【解決手段】表面に使用目的に適う表示２を付したシール本体１の基材３の裏面に、人体の肌へのダメージを可及的に回避することを可能とした粘着層４を形成してなる、人体の肌に直接貼付して使用する応援シール５であって、前記表示２が、色彩、模様、ロゴ及びそれらの組み合わせなど使用目的に対応し、前記基材３が、紙、ポリエステルフィルム、ウレタンフォーム又はこれらと同等の材料からなり、粘着層４が、アクリル系、ゴム系又はこれらと等効の粘着材である。【選択図】図２
0003103944.tif 000002
【実用新案登録請求の範囲】
【請求項１】
表面に使用目的に適う表示を付したシール本体の基材の裏面に、人体の肌へのダメージを可及的に回避することを可能とした粘着層を形成してなる、人体の肌に直接貼付して使用する応援シール。
【請求項２】
前記使用目的とするイベントが、スポーツ特にプロサッカーである、請求項１に記載の人体に直接貼付して使用する応援シール。
【請求項３】
前記表示が、色彩、模様、ロゴ及びそれらの組み合わせなど使用目的に対応するものである、請求項１に記載の人体に直接貼付して使用する応援シール。
【請求項４】
前記シール本体の基材が、紙、ポリエステルフィルム、ウレタンフォーム又はこれらと同等の材料からなる、請求項１記載の人体の肌に直接貼付して使用する応援シール。
【請求項５】
前記粘着層が、アクリル系、ゴム系又はこれらと等効の粘着材からなる、請求項１に記載の人体の肌に直接貼付して使用する応援シール。
【考案の詳細な説明】
【技術分野】
【０００１】
本考案は、スポーツ特にプロサッカーにおいて、サポーターが自己が応援するチーム及び選手を表示する応援シールを顔面等の肌に直接貼付することを目的とする応援シールの提案に係る。
【背景技術】
【０００２】
従来一般的には、プロサッカーのサポーターが顔料又は特殊な材質のペイントを体の一部特に顔面に塗布することが行われている。
【特許文献１】特開平１１−３４４９４６
【考案の開示】
【考案が解決しようとする課題】
【０００３】
従来例において、体の一部特に顔面に顔料や特殊な材質のペイントなどを塗布した場合、肌を刺激して炎症を起したりすることがあると共に、使用後の始末に問題があった。
【課題を解決するための手段】
【０００４】
ここにおいてこの考案は、表面に使用目的に適う表示を付したシール本体の裏面に、人体の肌へのダメージを可及的に回避することを可能とした粘着層を形成してなる、人体の肌に直接貼付して使用する応援シールを提供しようとするものである。
【考案の効果】
【０００５】
この考案によれば、肌に直接貼付したシール本体は使用後に簡単にはがすことができ、しかも肌に障害を起すことを可及的に回避できるので、実用上極めて有用である。
【考案を実施するための最良の形態】
【０００６】
図１と、この図のII―IIに沿いかつ拡大した図２に示す実施例において、シール本体１は表面に表示２を付した基材３と、この基材３の裏面に形成した粘着層４とからなり、これによって応援シール５を構成するのである。
【０００７】
前記表示２は、使用目的とするイベントが、スポーツ特にプロサッカーである場合は、サポーターが応援しているチーム及び選手のイメージに適うような色彩、模様、ロゴ及びそれらの組み合わせを付するものとする。
【０００８】
前記シール本体１の基材３としては、紙、ポリエステルフィルム、ウレタンフォーム又はこれらと同等の材料を使用するものとする。
【０００９】
前記粘着層には、アクリル系、ゴム系又はこれらと等効の粘着材を使用する。
【００１０】
実際上、使用前は前記粘着層４には剥離紙６を張り付けておき、使用に際してこの剥離紙６をはがすようにするのである。
【００１１】
このようにして構成した応援シール５は、剥離紙６をはがし、図３に示すように粘着層４を介して人体７の肌８に直接貼付するのである。
【図面の簡単な説明】
【００１２】
【図１】この考案の応援シールの正面図である。
【図２】図１のII−IIに沿いかつ拡大して示す一部分の断面図である。
【図３】この考案の応援シールの使用例を示す斜視図である。
【符号の説明】
【００１３】
１      シール本体
２      表示
３      基材
４      粘着層
５      応援シール
６      剥離紙
７      人体
８      肌
【図１】
0003103944.tif 000003
【図２】
0003103944.tif 000004
【図３】
0003103944.tif 000005
【手続補正書】
【提出日】平成16年3月24日(2004.3.24)
【手続補正１】
【補正対象書類名】実用新案登録請求の範囲
【補正対象項目名】全文
【補正方法】変更
【補正の内容】
【実用新案登録請求の範囲】
【請求項１】
表面に使用目的に適う表示を付したシール本体の基材の裏面に、アクリル系、又は、ゴム系粘着層を形成してなる、人体の肌に直接貼付して使用する応援シール。
【請求項２】
前記使用目的とするイベントが、スポーツ特にプロサッカー又はプロ野球である、請求項１に記載の人体に直接貼付して使用する応援シール。
【請求項３】
前記表示が、色彩、模様、ロゴ及びそれらの組み合わせなど使用目的に対応するものである、請求項１に記載の人体に直接貼付して使用する応援シール。
【請求項４】
前記シール本体の基材が、紙、ポリエステルフィルム、ウレタンフォーム又はこれらと同等の材料からなる、請求項１記載の人体の肌に直接貼付して使用する応援シール。
【手続補正２】
【補正対象書類名】明細書
【補正対象項目名】全文
【補正方法】変更
【補正の内容】
【考案の詳細な説明】
【技術分野】
【０００１】
本考案は、スポーツ特にプロサッカーのサポーター又はプロ野球のファンが自己が応援するチーム及び選手を表示する応援シールを顔面等の肌に直接貼付することを目的とする応援シールの提案に係る。
【背景技術】
【０００２】
従来一般的には、プロサッカーのサポーター又はプロ野球のファンが顔料又は特殊な材質のペイントを体の一部特に顔面に塗布することが行われている。
【特許文献１】特開平１１−３４４９４６
【考案の開示】
【考案が解決しようとする課題】
【０００３】
従来例において、体の一部特に顔面に顔料や特殊な材質のペイントなどを塗布した場合、肌を刺激して炎症を起したりすることがあると共に、使用後の始末に問題があった。
【課題を解決するための手段】
【０００４】
ここにおいてこの考案は、表面に使用目的に適う表示を付したシール本体の裏面に、アクリル系、又は、ゴム系粘着層を形成してなる、人体の肌に直接貼付して使用する応援シールを提供しようとするものである。
【考案の効果】
【０００５】
この考案によれば、肌に直接貼付したシール本体は使用後に簡単にはがすことができ、しかも肌に障害を起すことを可及的に回避できるので、実用上極めて有用である。
【考案を実施するための最良の形態】
【０００６】
図１と、この図のII―IIに沿いかつ拡大した図２に示す実施例において、シール本体１は表面に表示２を付した基材３と、この基材３の裏面に形成した粘着層４とからなり、これによって応援シール５を構成するのである。
【０００７】
前記表示２は、使用目的とするイベントが、スポーツ特にプロサッカーである場合は、サポーターがまたプロ野球である場合はファンが、応援しているチーム及び選手のイメージに適うような色彩、模様、ロゴ及びそれらの組み合わせを付するものとする。
【０００８】
前記シール本体１の基材３としては、紙、ポリエステルフィルム、ウレタンフォーム又はこれらと同等の材料を使用するものとする。
【０００９】
前記粘着層には、アクリル系、又は、ゴム系の粘着材を使用する。
【００１０】
実際上、使用前は前記粘着層４には剥離紙６を張り付けておき、使用に際してこの剥離紙６をはがすようにするのである。
【００１１】
このようにして構成した応援シール５は、剥離紙６をはがし、図３に示すように粘着層４を介して人体７の肌８に直接貼付するのである。
【図面の簡単な説明】
【００１２】
【図１】この考案の応援シールの正面図である。
【図２】図１のII−IIに沿いかつ拡大して示す一部分の断面図である。
【図３】この考案の応援シールの使用例を示す斜視図である。
【符号の説明】
【００１３】
１      シール本体
２      表示
３      基材
４      粘着層
５      応援シール
６      剥離紙
７      人体
８      肌